(57)【要約】      （修正有）【課題】悪意の第三者が不正な制御信号を外部入力装置などから電気錠に送信しても、解錠されない電気錠用の通電装置を提供すること。【解決手段】電気錠には、第１のＩＤコードに加え、固有の第２のＩＤコードを保持する第２のＩＤコード保持部と、第１のＩＤコードと予め登録された第２のＩＤコードとを照合して、一致した場合にのみ施錠または解錠命令の制御信号を送信する制御部とを少なくとも備えた第１制御装置５１と、第２のＩＤコードを登録する第２のＩＤコード登録部と、第１制御装置５１から受信した第２のＩＤコードが第２のＩＤコード登録部に予め登録されたＩＤコードと一致する場合に受信した制御信号に従って電気錠を施解錠制御する制御部とを少なくとも備えた第２制御装置５５とからなる制御回路５０を備え、制御回路５０の第１制御装置５１は扉側リード線２１を介して扉側通電装置２０に接続されている。【選択図】  図２
2008063887.tif 000002
【特許請求の範囲】
【請求項１】
扉側リード線を介して電気錠に接続した扉側通電装置と、制御盤側リード線を介して扉枠に設けた枠側通電装置とを有し、閉扉時に通電できるようにした電気錠用の通電装置であって、
前記電気錠と扉側通電装置との間又は電気錠には、利用者の暗証番号や磁気カードなどから入力される第１のＩＤコードが所定のＩＤコードであると確認したときに、電気錠の制御信号と共に制御装置固有の第２のＩＤコードを電気錠へ送り、この送信されてきた第２のＩＤコードが所定のものと確認したときにのみ電気錠を施解錠制御するようにした制御回路を備えたことを特徴とする電気錠用の通電装置。
【請求項２】
扉側リード線を介して電気錠に接続した扉側通電装置と、制御盤側リード線を介して扉枠に設けた枠側通電装置とを有し、前記扉側リード線の一端と接続した扉側通電装置の扉側電極と、制御盤側リード線の一端と接続した枠側通電装置の枠側電極とを閉扉時に接触させて通電できるようにした電気錠用の通電装置であって、
前記電気錠には、利用者の暗証番号や磁気カードなどから入力される第１のＩＤコードに加え、第１制御装置自体の固有の第２のＩＤコードを保持する第２のＩＤコード保持部と、前記第１のＩＤコードと予め登録された第２のＩＤコードとを照合して一致するか否かを認証し、一致した場合にのみ施錠または解錠命令の制御信号を送信する制御部とを少なくとも備えた第１制御装置と、
前記第２のＩＤコードを登録する第２のＩＤコード登録部と、前記第１制御装置から受信した第２のＩＤコードが該第２のＩＤコード登録部に予め登録されたＩＤコードと一致するか否かを認証し、一致する場合に受信した前記制御信号に従って電気錠を施解錠制御する制御部とを少なくとも備えた第２制御装置とからなる制御回路を備え、
前記制御回路の第１制御装置は前記扉側リード線を介して扉側通電装置に接続されていることを特徴とする電気錠用の通電装置。
【請求項３】
第１制御装置及び第２制御装置からなる制御回路と扉側通電装置とは電気錠に内蔵されているとともに、この電気錠は扉の戸先側に設け、前記扉側通電装置はその扉側電極が閉扉時において対向する枠側通電装置の枠側電極と接触するように構成してある請求項２に記載の電気錠用の通電装置。
【請求項４】
扉側通電装置は、電気錠を除く扉の適所で、かつ扉枠に設けた枠側通電装置に対向して設けてあるとともに、前記第１制御装置と第２制御装置とからなる制御回路は電気錠に内蔵してある請求項２に記載の電気錠用の通電装置。
【発明の詳細な説明】
【技術分野】
【０００１】
本発明は、扉側リード線を介して電気錠に接続した扉側通電装置と、制御盤側リード線を介して扉枠に設けた枠側通電装置とを有する電気錠用の通電装置に関する。
【背景技術】
【０００２】
従来、（イ）電気錠用の通電装置としては、図２１及び図２２に示すものが知られている。このものを図２１及び図２２に沿って説明すると、図２１で、ａは扉枠ｂの開口ｂ３を開放又は閉塞するスイング式の扉であって、この扉ａの一端側（吊り元側）は扉枠ｂの縦框ｂ２に丁番１で枢支されているとともに、他端側（自由端側）の戸先側には電気錠０２が取り付けられている。
【０００３】
そして、前記電気錠０２への配線は、扉ａと扉枠ｂとの間で配線の屈伸が最も少ない扉ａの吊り元側に設けた通電金具０３を介して取り付けていた。すなわち、電線（リード線）０４の一端側には電源０５と接続した制御盤０６を連結してあり、この電線（リード線）０４の中途部位を、縦框ｂ２の吊り元側に取り付けた枠側の通電金具０３Ａと、扉ａの吊り元側に取り付けた扉側の通電金具０３Ｂとに嵌挿してから、扉ａ内に電線管０７等を施して前記電気錠０２にコネクター０８を介して接続し、電気錠０２の施解錠を制御していた。
【０００４】
電気錠０２の錠ケース０２ａ内には、軸支されたハブ０９のハブ孔０９ａに嵌挿されている操作杆０９ｂをシリンダーのキー操作やサムターン操作等の手動操作により回動して出没作動される錠杆０１０と、前記コネクター０８を介して錠ケース０２ａに通された電線０４に接続された可逆回転モータ０１１と、この可逆回転モータ０１１の駆動により傘歯車等の歯車列を回動して錠杆０１０を電気的に出没作動させる歯車伝達機構０１２と、通電制御用のマイクロスイッチ０１３と、扉の開閉確認用のリードスイッチ０１４などを設けている。
なお、図２１及び図２２で、０１５は扉枠ｂの縦框ｂ１に設けた受座で、この受座０１５の受け孔０１６に錠杆０１０が出没される。
【０００５】
（ロ）また、電気錠用の通電装置としては、引戸用のものではあるが、例えば、特許第３７１９３１１号公報（特許文献１）に示されたものも知られている。この公報に示された引戸用の通電装置は、引戸（扉）の框に取付けられかつ引戸側リード線を介して電気錠に接続される磁石一体型の固定電極と、戸枠（扉枠）に取付られかつ電極収納ガイド部を有する支持ボックスと、この支持ボックス内に移動可能に設けられていると共に、支持ボックスに設けられたバネ部材のバネ力により常時後退（戸枠）方向に付勢されかつ制御盤側のリード線と接続される磁石一体型の可動電極とからなっている。そして、前記可動電極は、固定電極の磁石の極性に対応して該固定電極に吸着する磁石を有する接触部と、この接触部の一側面から支持ボックスのガイド小孔を貫通して該支持ボックスのリード線用空間部へと延びるガイドバーと、このガイドバーの突出上端部に設けられたストッパーとから構成され、引戸の閉鎖時には、前記可動電極は、支持ボックスの電極収納ガイド部からバネ部材のバネ力に抗して飛び出して扁平状の接触面を有する固定電極に吸着され、引戸の開放時には、固定電極の扁平状の接触部分が可動電極に対してスライドするものである。
【０００６】
【特許文献１】特許第３７１９３１１号公報
【発明の開示】
【発明が解決しようとする課題】
【０００７】
しかしながら、上記従来例（イ）、（ロ）のいずれも、電気錠から離れた個所の外部に設けたテンキーやカードリーダーなどの電気錠制御装置に、第三者が不正に外部入力装置を接続し、この外部入力装置からの制御信号の送信により電気錠が解錠されてしまうという問題があった。
【０００８】
従来例（イ）の電気錠用の通電装置では、扉の製造業者としては、この電気錠用の扉を製造する際に、扉ａの厚味部分に電線（リード線）を嵌挿する電線管０７を埋設するための収納空間を形成しなければならないため、多大の時間と費用をかけていた。
【０００９】
従来例（ロ）の電気錠用の通電装置では、引戸側の通電装置と戸枠側の通電装置との隙間から不正に、固定電極と可動電極との接点部分に電気を流したり、又は両接点を離して制御を遮断するなどすることにより、電気錠が解錠されるという問題があった。
【００１０】
そこで、本発明は、上記問題点を解消するために案出したものであり、不正に接続された外部入力装置からの制御信号に対しても、施解錠を許可することがなく、電気錠の不正解錠を防止すると共に、また扉（引戸）側の通電装置と扉枠（戸枠）側の通電装置との隙間から不正方法により電気錠が解錠されるのを防止し、さらに扉の厚味部分に電線管挿入用の収納空間を形成する必要のない扉ができる電気錠用の通電装置を提供することを主な目的とする。
【課題を解決するための手段】
【００１１】
上記課題を解決するため、本発明の請求項１に記載の電気錠の通電装置は、扉側リード線を介して電気錠に接続した扉側通電装置と、制御盤側リード線を介して扉枠に設けた枠側通電装置とを有し、閉扉時に通電できるようにした電気錠用の通電装置であって、
前記電気錠と扉側通電装置との間又は電気錠には、利用者の暗証番号や磁気カードなどから入力される第１のＩＤコードが所定のＩＤコードであると確認したときに、電気錠の制御信号と共に制御装置固有の第２のＩＤコードを電気錠へ送り、この送信されてきた第２のＩＤコードが所定のものと確認したときにのみ電気錠を施解錠制御するようにした制御回路を備えたことを特徴とする。
【００１２】
このような請求項１の構成によれば、制御回路の登録部には第１のＩＤコード及び第２のＩＤコードの２つのコードを有し、また制御部では前記第１のＩＤコードが所定のコードであると確認したときに、電気錠の制御信号と共に制御装置固有の第２のＩＤコードを電気錠へ送り、この送信されてきた第２のＩＤコードが所定のものと確認したときにのみ電気錠が施解錠されるようにしてあるため、たとえ悪意の第三者が不正な制御信号を外部入力装置などから電気錠に送信したとしても、その場合には、前記制御回路に予め登録された固有の第２のＩＤコードが送信されないため、その制御信号だけでは電気錠が解錠されることが無い。このように本発明を用いれば極めて防犯性に優れた電気錠用の通電装置を提供することができる。
【００１３】
請求項２に記載の電気錠用の通電装置は、請求項１の制御回路をより具体的にすると共に、接触型の通電装置に採用したものを示している。すなわち、扉側リード線を介して電気錠に接続した扉側通電装置と、制御盤側リード線を介して扉枠に設けた枠側通電装置とを有し、前記扉側リード線の一端と接続した扉側通電装置の扉側電極と、制御盤側リード線の一端と接続した枠側通電装置の枠側電極とを閉扉時に接触させて通電できるようにした電気錠用の通電装置であって、前記電気錠には、利用者の暗証番号や磁気カードなどから入力される第１のＩＤコードに加え、第１制御装置自体の固有の第２のＩＤコードを保持する第２のＩＤコード保持部と、前記第１のＩＤコードと予め登録された第２のＩＤコードとを照合して一致するか否かを認証し、一致した場合にのみ施錠または解錠命令の制御信号を送信する制御部とを少なくとも備えた第１制御装置と、前記第２のＩＤコードを登録する第２のＩＤコード登録部と、前記第１制御装置から受信した第２のＩＤコードが該第２のＩＤコード登録部に予め登録されたＩＤコードと一致するか否かを認証し、一致する場合に受信した前記制御信号に従って電気錠を施解錠制御する制御部とを少なくとも備えた第２制御装置とからなる制御回路を備え、前記制御回路の第１制御装置は前記扉側リード線を介して扉側通電装置に接続されていることを特徴とする。
【００１４】
このような請求項２の構成によれば、正規の使用者によって入力された第１のＩＤコードが正しいものであるか否かを第１制御装置で認証するだけではなく、正しい場合であっても、第１制御装置固有の第２のＩＤコードが第２制御装置に予め登録されているコードと一致するか否かを認証する。そして、第１制御装置での使用者によって入力された第１のＩＤコードの認証と、第２制御装置での第１制御装置固有の第２のＩＤコードの認証が正しく行われた場合にのみ電気錠の施解錠を行う。
そのため、たとえ悪意の第三者が不正な制御信号を外部入力装置などから電気錠に送信したとしても、その場合には、第２制御装置に予め登録された第１制御装置固有の第２のＩＤコードが送信されないため、その制御信号だけでは電気錠が解錠されることが無い。このように請求項２の発明を用いれば、請求項１の発明と同様に極めて防犯性に優れた電気錠用の通電装置を提供することができる。
【００１５】
前述したように、本発明は、第１制御装置と第２制御装置からなる新規な制御回路を備えた新規な電気錠用の通電装置であって、その通電装置の形態や取付位置は適宜設計変更できるもので、特に限定されない。
【００１６】
請求項３に記載の電気錠用の通電装置は、第１制御装置及び第２制御装置からなる制御回路と扉側通電装置とは電気錠に内蔵されているとともに、この電気錠は扉の戸先側に設け、前記扉側通電装置はその扉側電極が閉扉時において対向する枠側通電装置の枠側電極と接触するように構成したものである。すなわち、第１制御装置及び第２制御装置からなる制御回路と扉側通電装置とを電気錠に内蔵した一体型としたものである。
【００１７】
また、扉側通電装置が電気錠とは別個所に分離して取り付けた分離型とすることもできる。
例えば、請求項４に記載の電気錠用の通電装置は、請求項２において、扉側通電装置は、電気錠を除く扉の適所（例えば扉の戸先側端部や吊り元側端部や上部の横框等の個所）で、かつ扉枠に設けた枠側通電装置に対向して設けてあるとともに、前記第１制御装置と第２制御装置とからなる制御回路は電気錠に内蔵してあるものである。
【００１８】
なお、本発明の請求項２〜４の電気錠用の通電装置において、前記制御回路の第１制御装置には第２制御装置に第２のＩＤコードを送信する送信スイッチを備えるとともに、前記第２制御装置には該第２制御装置が解錠状態または扉が開いた状態であるか否かを検出するセンサ部を備え、前記第１制御装置の送信スイッチがＯＮし、かつ前記第２制御装置のセンサ部が自装置の解錠状態または扉の開いた状態であると検出した場合においてのみ、前記第２のＩＤコード登録部に前記第１制御装置から受信した第２のＩＤコードを登録するようにする方が好ましい。
【００１９】
このような構成によれば、例えば、古い制御装置を取り替えて新しい第１制御装置を取り付ける場合などに、送信スイッチをＯＮすることにより第２制御装置に新しい第１制御装置固有の第２のＩＤコードを登録することができる。この場合は、第２制御装置に登録されていた古い元の制御装置のＩＤコードを削除し、受信した新しいＩＤコード（第２のＩＤコード）に自動的に書き換えするようにするのが好ましい。
また、上記第１制御装置の送信スイッチのＯＮにより受信した第１制御装置固有の第２のＩＤコードが第２制御装置に登録されるのは、第２制御装置が開扉状態もしくは扉が開いた状態を検出した場合のみとする。これにより、第２制御装置が施錠状態で且つ扉が閉じた状態では、正規に設置された第１制御装置とは異なる他の外部入力装置（電気錠施錠装置）により、不正なＩＤコードが第２制御装置に登録されることを防ぐことができる。
【発明の効果】
【００２０】
本発明の請求項１の発明によれば、電気錠と扉側通電装置との間又は電気錠には、利用者の暗証番号や磁気カードなどから入力される第１のＩＤコードが所定のＩＤコードであると確認したときに、電気錠の制御信号と共に制御装置固有の第２のＩＤコードを電気錠へ送り、この送信されてきた第２のＩＤコードが所定のものと確認したときにのみ電気錠を施解錠制御するようにした制御回路を備えたことを特徴とするから、たとえ悪意の第三者が不正な制御信号を外部入力装置などから電気錠に送信したとしても、その場合には、前記制御回路に予め登録された固有の第２のＩＤコードが送信されないため、その制御信号だけでは電気錠が解錠されることが無い。このように本発明を用いれば極めて防犯性に優れた電気錠用の通電装置を提供することができる。
【００２１】
請求項２の発明によれば、前記電気錠には、利用者の暗証番号や磁気カードなどから入力される第１のＩＤコードに加え、第１制御装置自体の固有の第２のＩＤコードを保持する第２のＩＤコード保持部と、前記第１のＩＤコードと予め登録された第２のＩＤコードとを照合して一致するか否かを認証し、一致した場合にのみ施錠または解錠命令の制御信号を送信する制御部とを少なくとも備えた第１制御装置と、前記第２のＩＤコードを登録する第２のＩＤコード登録部と、前記第１制御装置から受信した第２のＩＤコードが該第２のＩＤコード登録部に予め登録されたＩＤコードと一致するか否かを認証し、一致する場合に受信した前記制御信号に従って電気錠を施解錠制御する制御部とを少なくとも備えた第２制御装置とからなる制御回路を備え、前記制御回路の第１制御装置は前記扉側リード線を介して扉側通電装置に接続されていることから、次の如き効果を有する。
【００２２】
すなわち、不正に接続された外部入力装置からの制御信号が電気錠に送信されても、予め登録された第１制御装置固有のＩＤコード（第２のＩＤコード）が送信されない限り電気錠は解錠されない。例えば、電気錠から離れた個所の外部に設けたテンキーやカードリーダーなどの電気錠制御装置を取り外し、外部入力装置を悪意の第三者が不正に接続し、この外部入力装置からの制御信号の送信により電気錠を解錠しようとしても、電気錠を解錠することができない。また、扉（引戸）側の通電装置と扉枠（戸枠）側の通電装置との隙間から悪意の第三者が不正に固定電極と可動電極との接点部分に電気を流したり、又は両接点を離して制御を遮断するなどすることにより、電気錠を解錠しようとしても、電気錠を解錠することができず、不正解錠を防止できる。
【００２３】
請求項３の発明によれば、第１制御装置及び第２制御装置からなる制御回路と扉側通電装置とは電気錠に内蔵されているとともに、この電気錠は扉の戸先側に設け、前記扉側通電装置はその扉側電極が閉扉時において対向する枠側通電装置の枠側電極と接触するように構成して、電気錠には前記制御回路だけでなく扉側通電装置も内蔵してあるから、従来の如く、扉の厚味部分に電線（リード線）を嵌挿する電線管を埋設する収納空間を形成する必要がない上に、扉の端部に扉側通電装置を埋設する凹部を形成する必要もなく、さらに扉側通電装置を扉の端部に取り付ける作業がなくなり、扉側通電装置の保管場所も不要となるなどの多くに利点を有する。
【００２４】
請求項４の発明によれば、扉側通電装置は、電気錠を除く扉の適所で、かつ扉枠に設けた枠側通電装置に対向して設けてあるとともに、前記第１制御装置と第２制御装置とからなる制御回路は電気錠に内蔵してあるから、扉側通電装置が、電気錠の形式や寸法等にかかわらず適宜の電気錠に適用することができるだけでなく、扉の戸先側端部に限らず、吊り元側端部や上部の横框等の適宜個所に取り付けることができる。
【実施例】
【００２５】
（実施例１）  
本発明の実施例１を図１から図１６に基づいて以下に説明する。
図１は本発明に係る電気錠用の通電装置を取り付けた使用状態の一例を示した正面図、図２は扉の閉鎖時で通電状態を示した図１の要部縦断面図である。
図１で、ａは扉枠ｂの開口を開放又は閉塞するスイング式の扉であって、この扉ａの一端側（吊り元側）は扉枠ｂの縦框ｂ２に丁番１で枢支されているとともに、該扉ａの他端側（自由端側）の戸先側には電気錠２が取り付けられている。
【００２６】
前記電気錠２への給電は、扉ａ側に設けた扉側通電装置２０と、扉枠ｂの縦框ｂ１に設けた枠側通電装置３０とからなる通電装置１０を介して行われる。すなわち、図２に示すように、前記扉側通電装置２０は、詳細は後述するが、電気錠２の錠ケース２ａ内の上部に、内部機構と扉側リード線２１を介して接続されているとともに、フロント板２ｂの開口部２ｃより出没自在に設けられており、前記扉側リード線２１の一端には扉側通電装置２０の扉側電極２２が設けてある。
【００２７】
一方、扉枠ｂの縦框ｂ１の一部には上下に切り欠きを形成し、この上部切り欠きｂ１０に断面コ字状の上部受箱９１を埋設するとともに、下部切り欠きｂ２０に断面コ字状の下部受箱９２を埋設し、両受箱９１，９２の前面に一枚の長板状の受座９３を取り付けて縦框ｂ１にネジ等で固定してある。この枠側通電装置３０は、図２、図１３及び図１４に示されているように、前記上部受箱９１の凹部９１ａ内には、上下左右に隙間Ｓ１、Ｓ２、Ｓ３、Ｓ４を形成する状態で前記枠側通電装置３０が遊動可能に嵌装されている。この枠側通電装置３０は外形が段付きの箱状に形成されており、その段部３０ａに前面を窪ませた状態で枠側電極３２が設けてある。この枠側電極３２の後端部には前記制御盤側リード線３１が接続してあり、該制御盤側リード線３１の他端部を制御盤３３を介して電源３４に接続している。
【００２８】
そこで、扉ａを閉鎖すると、図２に示すように、扉側通電装置２０の扉側電極２２と枠側通電装置３０の枠側電極３２とが接触して通電状態となり、施解錠用の制御信号を送れば錠ケース２ａ内の内部電動機構の作動を介して、電気錠２の錠杆３を扉枠ｂの縦框ｂ１の下部受箱９２の受孔９４に突出係合させて施錠状態とすることができる。
【００２９】
前記扉側通電装置２０について、図２〜図８に基づいて更に詳述する。
この扉側通電装置２０は、図２において左方向を前方とし右方向を後方とした場合、前部に段部２ｄを設けてなるものである。そして、図２及び図６に示すように、該扉側通電装置２０の前部から後部に向けて形成した上下２つの扉側電極嵌挿穴２３，２３に略平板状の扉側電極２２，２２を嵌挿している。この扉側電極２２，２２の略中央部には後部鍔部２２ａ，２２ａを形成し、この後部鍔部２２ａと扉側通電装置２０の後部隔壁２０ａとの間には扉側電極２２を常時前方に付勢するバネ２４を巻装している。また扉側電極２２の前部鍔部２２ｂは、扉側通電装置２０の前部隔壁２０ｂの後面に当接するようにして、バネ２４による扉側電極２２の前方への突出量を規制している。
【００３０】
また、扉側通電装置２０の後部隔壁２０ａと前部隔壁２０ｂとの間には、扉側リード線２１を導入する扉側リード線導入路２５が形成されており、該扉側リード線導入路２５に挿入された扉側リード線２１の一端が前記扉側電極２２に溶接などによって接続されている。
【００３１】
さらに、扉側通電装置２０の後部隔壁２０ａの中央部に後方に向け開口したバネガイド孔２０ａ１と、錠ケース２ａの側壁に水平方向に突出させたバネ支持部材４との間にコイルバネ２６等の弾機を設け、この弾機２６の弾発力によって扉側通電装置２０全体が常時に前方に付勢されている。そして、図６と図７に示されているように、扉側通電装置２０の正面から背面に向けては、前後方向に長くした長孔２７が形成され、この長孔２７に、錠ケース２ａの側壁間に固定したストッパー２８を嵌挿しており、この長孔２７のストローク量だけ扉側通電装置２０は前方へ突出するようにしてある。
【００３２】
また、扉側通電装置２０の前部隔壁２０ｂには磁石２９を設けており、図１及び図２に示すように、閉扉時には、この磁石２９が、相手方の枠側通電装置３０に設けた磁石３９（磁石２９とは異極の磁石である。）と吸着して、扉側電極２２と枠側電極３２とが確実に接触して接触不良とならないようにしてある。
【００３３】
次に、前記扉側通電装置２０は扉側リード線２１を介して電気錠２に接続されているので、電気錠２について以下に説明する。
この電気錠２の錠ケース２ａ内には、前記扉側通電装置２０のほかに、第１制御装置５１と第２制御装置５５とからなる制御回路５０と、錠ケース２ａの両側壁間に回動自在に軸支されたハブ５のハブ孔５ａに嵌挿されている操作杆５ｂをシリンダーのキー操作やサムターン操作などの手動操作により回動して出没作動される錠杆３と、前記制御回路５０にリード線６を介して接続された可逆回転モータ７と、この可逆回転モータ７の駆動により傘歯車等の歯車列を回動して錠杆３を電気的に出没作動させる歯車伝達機構８と、通電制御用のマイクロスイッチ９と、扉の開閉確認用のリードスイッチ１６などを設けている。
【００３４】
制御回路５０は、多数のリード線例えば６線や９線などを２線に変更できるので二線変換基板とも称し得るが、この制御回路５０を図９〜図１２に基づいて以下に詳述する。
【００３５】
第１制御装置５１は、利用者の暗証番号や磁気カードなどから入力される第１のＩＤコードに加え、第１制御装置５１自体の固有の第２のＩＤコードを保持するＥＥＰＲＯＭ等の第２のＩＤコード保持部５２と、前記第１のＩＤコードと第２のＩＤコード保持部５２に予め登録された第２のＩＤコードとを照合して一致するか否かを認証し、一致した場合にのみ解錠命令の制御信号を第２制御装置５５へ送信する制御部５３とを少なくとも備え
ている。この制御信号を送信するときには、前記第２のＩＤコードを第２のＩＤコード保持部５２から読み出し、制御信号とともに第２制御装置５５に送信する。
この実施例では、新品の第１制御装置５１を古い制御装置に替えて取り替える場合に、第２のＩＤコードを第２制御装置５５に新しく登録するときに使用する送信スイッチ５４も備えている。
【００３６】
第２制御装置５５は、第１制御装置５１から送信された固有の前記第２のＩＤコードを登録するＥＥＰＲＯＭ等の第２のＩＤコード登録部５６と、前記第１制御装置５１から受信した第２のＩＤコードが該第２のＩＤコード登録部５６に予め登録されたＩＤコードと一致するか否かを認証し、一致する場合に受信した前記制御信号に従って駆動源５８を作動して電気錠２を施解錠制御する制御部５７とを少なくとも備えている。
【００３７】
この実施例の第２制御装置５５には、上記のほかに電気錠２を施解錠するための駆動源５８であるモータと、第２制御装置５５の施解錠状態や扉の開閉状態を検出するセンサ部５９も備えている。そして、前記第１制御装置５１の送信スイッチ５４がＯＮし、かつ前記第２制御装置５５のセンサ部５９が自装置の解錠状態または扉の開いた状態または、電気錠が開扉状態であると検出した場合においてのみ、前記第２のＩＤコード登録部５６に前記第１制御装置５１から受信した第２のＩＤコードを登録する。
【００３８】
上記制御回路５０の動作の一例を以下に説明する。
(1)電気錠を解錠する場合
この場合の第１制御装置５１の制御部５３と第２制御装置５５の制御部５７の作動フローを図１０に示す。
図１０（ａ）は、第１制御装置５１の制御部５３の作動フローである。この制御部５３では、まず、使用者が磁気カードや暗証番号などにより第１のＩＤコードを入力すると、その第１のＩＤコードを検出する。次に、予め第２のＩＤコード保持部５２に登録された前述の第２のＩＤコードを読み出す。そして、使用者が磁気カードや暗証番号などにより入力した第１のＩＤコードと、第２のＩＤコード保持部５２に登録されたコードとが、正しいものと一致するか否かを認証する。両者が一致しない場合には処理を終了する。両者が一致する場合には第１制御装置５１固有の第２のＩＤコードを第２のＩＤコード保持部から読み出す。そして、解錠命令の制御信号とともに、第１制御装置５１固有の第２のＩＤコードを第２制御装置５５に送信する。
【００３９】
図１０（ｂ）は第２制御装置５５の制御部５７の作動フローである。この制御部５７では、第１制御装置５１から受信した解錠命令の制御信号と第２のＩＤコードから、第２のＩＤコードを検出する。ここで、解錠命令の制御信号のみを受信した場合には以下の処理は行わず処理を終了する。一方、受信した解錠命令の制御信号とともに第２のＩＤコードを検出した場合には、検出した第２のＩＤコードが予め第２のＩＤコード登録部５６に登録された前記コードとが、正しいものと一致するか否かを認証する。両者が一致する場合のみ第２制御装置５５から電気錠の制御信号が送信され駆動源５８が作動され電気錠を解錠する。すなわち、第１制御装置５１から受信した第２のＩＤコードが予め第２のＩＤコード登録部５６に登録されたコードと一致しない場合や、第１制御装置５１から第２のＩＤコードが送信されて来ない場合は、第２制御装置５５から電気錠の制御信号が送信されず電気錠２は解錠されない。
【００４０】
以上のように、第１制御装置５１では制御信号とともに第１制御装置５１固有の第２のＩＤコードを第２制御装置５５に送信し、第２制御装置５５では受信した第２のＩＤコードが予め第２のＩＤコード登録部５６に登録したコードと一致することを条件に、制御信号が送られ駆動源５８が作動され、電気錠２を解錠する。従って、悪意の第三者が不正な制御信号を外部入力装置など何らかの手段で電気錠に送信したとしても、第２のＩＤコードが受信されないか、もし受信したとしてもその第２のＩＤコードが正当なものではないために、その制御信号だけでは第２制御装置５５から電気錠２の制御信号が送信されず、電気錠２が解錠されることがないので、極めて優れた防犯性を有する。
【００４１】
(２)  第１制御装置の古いものを取り替えて新しい制御装置５１の第２のＩＤコードを新たに第２制御装置５５に登録する場合
この場合の第１制御装置５１の制御部５３と第２制御装置５５の制御部５７の作動フローを図１１に示す。
図１１（ａ）は、新しい第１制御装置５１の制御部５３の作動フローである。この制御部５３では、送信スイッチ５４をＯＮすると、第２のＩＤコード保持部５２から第１制御装置５１固有の新たな第２のＩＤコードを読み出し、その第２のＩＤコードを第２制御装置５５に送信する。
【００４２】
図１１（ｂ）は第２制御装置５５の制御部５７の作動フローである。この制御部５７では、第１制御装置５１からの第２のＩＤコードを受信すると、センサ部５９で第２制御装置５５の施解錠状態と扉の開閉状態を検出する。そして、第２制御装置５５が解錠状態または扉が開いた状態である場合でのみ、第２のＩＤコード登録部５６に登録されていた古いコードを、新しい第２のＩＤコードに書き換える。また、第２制御装置５５が施錠状態で且つ扉が閉じた状態である場合には、第１制御装置５１から送信されて来た第２のＩＤコードの登録は行わない。
【００４３】
このように、第２制御装置５５が解錠状態もしくは扉が開いた状態で送信スイッチ５４をＯＮされた場合のみ、第１制御装置５１から受信した第２のＩＤコードを第２制御装置５５に登録する。即ち、正規の利用者のみが登録処理をすることができる。
従って、悪意の第三者が施錠状態のときに外部入力装置から不正な記憶命令の制御信号を第２制御装置に送信したとしても、その場合には第２制御装置５５は解錠状態もしくは扉の開いた状態が検知されないため、その外部入力装置から第２のＩＤコードを受信したとしてもその第２のＩＤコードを登録することができないので、極めて優れた防犯性を有する。
【００４４】
(３)  初期設定時に第２のＩＤコードを第２制御装置５５に登録する場合
初期設定時には、第２制御装置５５の第２のＩＤコード登録部５６には第２のＩＤコードが登録されていない空の状態であるため、第１制御装置５１からの制御信号と第１制御装置５１固有のＩＤコード（第２のＩＤコード）が送信されてきた場合に、その受信した第２のＩＤコードを第２制御装置５５の第２のＩＤコード登録部５６に自動的に登録する。
【００４５】
図１２（ａ）は第１制御装置５１の制御部５３での作動フローを示す。
初期設定時に、制御部５３は制御信号を送信する際に、第２のＩＤコード保持部５２に登録されている第１制御装置５１固有の第２のＩＤコードを読み出し、制御信号とともに第２制御装置５５に送信する。
【００４６】
図１２（ｂ）は第２制御装置５５の制御部５７での作動フローを示す。
初期設定時に制御部５７は第１制御装置５１から送信されてきた制御信号と第２のＩＤコードから、第２のＩＤコードを検出する。制御信号のみが送信されてきた場合には処理を終了する。また、制御信号と共に第２のＩＤコードを検出した場合には、第２制御装置５５からコードを読み出し、一致するか否かを認証し一致しない場合には処理を終了する。
【００４７】
そして、両者が一致した場合のみ第１制御装置５１から受信した制御信号と第２のＩＤコードとに基づいて第２制御装置５５の通常の処理である電気錠の解錠や、施錠の処理などを行う。
【００４８】
ところで、前記扉側通電装置２０は、扉ａの戸先側に設けた電気錠２に前述したように内蔵されているが、この扉側通電装置２０に対向する扉枠ｂには前述したように枠側通電装置３０が設けられている。
この枠側通電装置３０を図２、図１３及び図１４に基づいて以下に詳しく説明する。
【００４９】
すなわち、枠側通電装置３０は、前述したように、段付き箱状に形成され、段部３０ａの前面から後部には隔壁３０ｂを形成するとともに、この隔壁３０ｂの前面から後部に向けて枠側電極３２を嵌挿する貫通孔３０ｃが形成され、該隔壁３０ｂの中央部には前記扉側通電装置２０に設けた磁石２９と対向する位置に磁石３９を設けている。
【００５０】
また、前記段部３０ａの後部の上下両部には張り出し鍔部３５，３５を形成するとともに、この張り出し鍔部３５，３５の裏面（後面）側と上部受箱９１の底板部９１ｂとの間にはコイルバネ３６を弾支している。この枠側通電装置３０を上部受箱９１に組み付ける場合には、枠側通電装置３０を上部受箱９１の凹部９１ａに嵌入した後に、枠側通電装置の段部３０ａを受座９３の嵌入穴９３ａに遊動自在に嵌入させて、該受座９３を上部受箱９１を介して扉枠ｂにビス等で固定する。これにより、枠側通電装置３０は、コイルバネ３６のバネ力で常時には前方（図１４ｂで右方向）へ付勢されている。
なお、前記枠側電極３２の後部には制御盤側リード線３１の一端が接続されている。
【００５１】
この枠側通電装置３０は、前述したように、相手方の受部（上部受箱９１及び受座９３）との間では隙間Ｓ１〜Ｓ４を形成しているため、風や人の操作で扉がガタついた場合などにおいても、枠側通電装置３０がそのガタつきに追従して、枠側電極３２が扉側電極２２に確実に接触し接触不良が防止されるとともに、両電極３２，３２同士も摺接されるため各電極に付着した付着物が除去されるというクリーニング効果も有する。
【００５２】
上記効果があることを、図１５及び図１６に基づいて説明する。図１５（ａ）、（ｂ）、（ｃ）は閉扉状態から扉を開放するまでの動作を示し、図１６（ａ）、（ｂ）、（ｃ）は開扉状態から扉を閉鎖するまでの動作を示す。
図１５（ａ）は完全に扉ａが閉鎖された状態を示しており、この場合には隙間Ｓ３と隙間Ｓ４との距離は等しくなっている。
【００５３】
図１５（ａ）の閉扉状態から図１５（ｂ）の如く、扉ａが正常に又はガタつきながら開放方向に移動すると、枠側通電装置３０の枠側電極３２は、扉側通電装置２０の扉側電極２２と擦れ合いながら移動されるので、両電極３２，３２同士の接触不良が防止されるとともに、両電極３２，２２に付着した付着物を除去するというセルフクリーニング効果が達成できる。このとき、隙間Ｓ３の距離は小さくなりＳ４＞Ｓ３の状態である。
そして、図１５（ｃ）の如く、両電極３２，２２同士が接触しない開扉状態になると、隙間Ｓ３と隙間Ｓ４の各距離は等しくなり、上記効果はなくなる。
【００５４】
図１６（ａ）の如く開扉状態で隙間Ｓ３と隙間Ｓ４の各距離が等しくなっている状態から、図１６（ｂ）の如く扉ａを閉めて行くと、磁石３９，２９同士が吸着し合い、更に閉扉すると両電極３２，２２同士が擦れ合いながら移動されるので、両電極３２，２２の接触不良が防止されるとともに前記セルフクリーニング効果が達成できる。このとき隙間Ｓ３＜Ｓ４である。
そして図１６（ｃ）の如く完全に閉扉されると図１５（ａ）の如くなる。
【００５５】
図１７〜図１９は、枠側通電装置３０の変形例を示すものである。
この場合の枠側通電装置３０は、本実施例のものに比べて、コイルバネ３６の取り付け構造を変更したものである。すなわち、枠側通電装置３０の隔壁３０ｂの上下方向に形成した張り出し鍔部３５，３５を、図１７（ｂ）に示すように、肉厚部として、その肉厚部に同図において正面側から背面側に向けてバネ貫通孔３７を設け、このバネ貫通孔３７にコイルバネ３６を嵌挿したものである。
なお、このコイルバネ３６の両端は上部受箱９１の凹部９１ａの側壁に当接する。
【００５６】
この構成によれば、図１４のものに比べて、コイルバネ３６の取り付けが簡単であるなどの利点がある。
【００５７】
また、この場合も、枠側通電装置３０と相手方の受部（上部受箱９１及び受座９３）との間には隙間Ｓ１〜Ｓ４を形成しているので、本実施例の場合と同様の利点を有する。
例えば、風や人の操作等で扉が垂れ下がった場合、閉扉時において枠側通電装置３０は、扉側通電装置２０との磁石３９，３９同士の吸着力により、図１８（ｂ）、（ｃ）に示すように降下する。その結果、隙間Ｓ２は、枠側通電装置３０の段部３０ａで閉塞されるとともに、隙間Ｓ１は最大距離まで広がる。
【００５８】
また、風や人の操作等で扉と窓枠の隙間が縮まった場合、枠側通電装置３０は、図１９（ｂ）、（ｃ）に示すように、上部受箱９１の底板部９１ｂ側へ後退する。
そのほか、枠側通電装置３０は、隙間Ｓ１〜Ｓ４のいずれの方向にも移動できる。
【００５９】
（実施例２）
本発明の実施例２を図２０に基づいて以下に説明する。
この実施例の電気錠用の通電装置は、扉側通電装置２０を電気錠２を除く扉ａの吊り元側で、かつ扉枠ｂに設けた枠側通電装置３０に対向して設けてあるとともに、前記第１制御装置５１と第２制御装置５５からなる制御回路５０を電気錠２に内蔵してあることを特徴とするものである。
なお、図２０で４０はリード線２１を被覆した電線管である。
【００６０】
各実施例で示した制御回路５０の形状や取付位置は適宜に設計変更できる。
また、電気錠２の内部機構として実施例ではモータ７を採用しているが、これに替えソレノイドなどを採用してもよい。電気錠２としては、この発明では、通電時解錠型、瞬時通電時施解錠型、その他全ての方式の電気錠に適用できる。また、電気錠を扉に取付ける方式としては、実施例の如く彫り込み型に限らず面付け型でもよい。
さらに、スウィング式扉に限らず、引戸扉にも採用することができる。
また、通電装置も実施例の如く接触型に限らず、非接触型や彫込型にも適用できる。
なお、制御回路５０は、扉側通電装置２０又は枠側通電装置３０に組み込むこともできる。
【図面の簡単な説明】
【００６１】
【図１】本発明に係る電気錠用の通電装置を取付けた使用状態の一例を示した正面図である。
【図２】扉の閉鎖時で通電状態を示した図１の要部縦断面図である。
【図３】図２の扉側通電装置の概略正面図である。
【図４】図３の平面図である。
【図５】図３の左側面図である。
【図６】（ａ）は扉側通電装置の縦断面図である。（ｂ）は扉側通電装置の扉側電極近傍の水平断面図である。
【図７】図２における扉側通電装置と制御回路付近の縦断面図である。
【図８】図７の底面図である。
【図９】電気錠に内蔵された制御回路のブロック図である。
【図１０】電気錠に内蔵された制御回路の解錠の作動フロー図であり、（ａ）は第１制御装置の制御部の作動フロー図、（ｂ）は第２制御装置の制御部の作動フロー図である。
【図１１】第２のＩＤコードの再登録の作動フロー図であり、（ａ）は第１制御装置の制御部の作動フロー図、（ｂ）は第２制御装置の制御部の作動フロー図である。
【図１２】第２のＩＤコードの初期設定時の登録の作動フロー図であり、（ａ）は第１制御装置の制御部の作動フローである。（ｂ）は第２制御装置の制御部の作動フローである。
【図１３】（ａ）は枠側通電装置の平面図、（ｂ）は正面図、（ｃ）は右側面図である。
【図１４】（ａ）は枠側通電装置の水平断面図、（ｂ）は縦断面図、（ｃ）は右側面図図である。
【図１５】閉扉状態の扉を開放するまので動作の説明図であり、（ａ）は完全に扉が閉鎖された状態を示し、（ｂ）は扉が少し移動された状態を示し、（ｃ）は上記（ｂ）より更に扉が開放された状態を示す説明図である。
【図１６】開扉状態の扉を閉鎖するまので動作の説明図であり、（ａ）は開扉状態を示し、（ｂ）は（ａ）より少し閉鎖された状態を示し、（ｃ）は扉が完全に閉鎖された状態を示す説明図である。
【図１７】枠側通電装置の変形例であり、（ａ）は水平断面図、（ｂ）は縦断面図、（ｃ）は右側面図である。
【図１８】図１７の状態から扉が垂れ下がった状態を示し、（ａ）は水平断面図、（ｂ）は縦断面図、（ｃ）は右側面図である。
【図１９】図１７の状態から扉と扉枠の隙間が縮小した状態を示し、（ａ）は水平断面図、（ｂ）は縦断面図、（ｃ）は右側面図である。
【図２０】実施例２の正面図である。
【図２１】従来の電気錠用の通電装置の正面図である。
【図２２】図２１の電気錠の縦断面図である。
【符号の説明】
【００６２】
２                          電気錠
３                          錠杆
５                          ハブ
６                          リード線
７                          モータ
１０                        通電装置
２０                        扉側通電装置
２１                        扉側リード線
２２                        扉側電極
２９                        磁石
３０                        枠側通電装置
３１                        制御盤側リード線
３２                        枠側電極
３３                        制御盤
３４                        電源
５０                        制御回路
５１                        第１制御装置
５２                        第２のＩＤコード保持部
５３                        制御部
５４                        送信スイッチ
５５                        第２制御装置
５６                        第２のＩＤコード登録部
５７                        制御部
５８                        駆動源
５９                        センサ部
ａ                          扉
ｂ                          扉枠
Ｓ１〜Ｓ４                  隙間
【図１】
2008063887.tif 000003
【図２】
2008063887.tif 000004
【図３】
2008063887.tif 000005
【図４】
2008063887.tif 000006
【図５】
2008063887.tif 000007
【図６】
2008063887.tif 000008
【図７】
2008063887.tif 000009
【図８】
2008063887.tif 000010
【図９】
2008063887.tif 000011
【図１０】
2008063887.tif 000012
【図１１】
2008063887.tif 000013
【図１２】
2008063887.tif 000014
【図１３】
2008063887.tif 000015
【図１４】
2008063887.tif 000016
【図１５】
2008063887.tif 000017
【図１６】
2008063887.tif 000018
【図１７】
2008063887.tif 000019
【図１８】
2008063887.tif 000020
【図１９】
2008063887.tif 000021
【図２０】
2008063887.tif 000022
【図２１】
2008063887.tif 000023
【図２２】
2008063887.tif 000024